(57)【要約】【課題】小型化を図ることができるカートリッジ、および、そのカートリッジが装着された画像形成装置を提供すること。【解決手段】  トナーを収容する現像フレーム２５と、本体ケーシング２内のアクチュエータ１４１によって検知される被検知ギア９６と、本体ケーシング２からの駆動力を被検知ギア９６に伝達するアイドルギア９４とを備える現像カートリッジ１９において、被検知ギア９６に、アイドルギア９４から駆動力を受ける受動部１１０と、アクチュエータ１４１に検知される第２当接部１１４とを、左右方向において同じ位置に設ける。【選択図】図６
2014016482.tif 000002
【特許請求の範囲】
【請求項１】
現像剤を収容するためのカートリッジであって、
第１の軸線を回転中心として第１方向に回転するように構成されるとともに、外部の第１検知手段によって検知されるように構成される被検知部材と、
外部からの駆動力を前記被検知部材に伝達するように構成される駆動伝達部材と
を備え、
前記被検知部材は、
前記駆動伝達部材と当接することによって前記駆動伝達部材から駆動力を受けるように構成される受動部と、
第１被検知部と
を備え、
前記第１被検知部の少なくとも一部と前記受動部の少なくとも一部とは、前記第１の軸線方向において同じ位置にある
ことを特徴とする、カートリッジ。
【請求項２】
前記第１被検知部は、前記受動部の一部であり、
前記被検知部材は、前記第１被検知部が前記駆動伝達部材に対して駆動伝達可能となる第１位置から、前記第１被検知部が前記第１検知手段に検知される第２位置へ回転するように構成される
ことを特徴とする、請求項１に記載のカートリッジ。
【請求項３】
前記被検知部材は、前記第１被検知部に対して前記第１方向上流側に設けられる第２被検知部を有し、
前記第２被検知部の少なくとも一部と前記受動部の少なくとも一部とは、前記第１の軸線方向において同じ位置にある
ことを特徴とする、請求項１または２に記載のカートリッジ。
【請求項４】
現像剤を収容するように構成される筐体と、少なくとも前記被検知部材を被覆する被覆部材とを、さらに備え、
前記被検知部材は、第１係合部を備え、前記第１被検知部が前記第１検知手段に検知された後に、前記受動部が前記駆動伝達部材から離間した第３位置に配置されるように構成され、
前記筐体および前記被覆部材の少なくともいずれか一方は、前記第３位置における前記被検知部材の前記第１係合部が係合することで前記第１方向とは逆の第２方向への回転を規制するように構成される第１被係合部を備える
ことを特徴とする、請求項１ないし３のいずれか一項に記載のカートリッジ。
【請求項５】
前記第１係合部は、前記駆動伝達部材から前記受動部へ駆動力が伝達されているときに弾性変形され、前記駆動伝達部材から前記受動部への駆動伝達が解除されるときに復元するように構成され、
前記被検知部材は、前記第１係合部の復元力により、前記第３位置に配置される
ことを特徴とする、請求項４に記載のカートリッジ。
【請求項６】
前記第１被係合部は、前記第１の軸線と交差する方向において、前記第１係合部に対向するように構成される対向面を有し、
前記対向面は、
前記駆動伝達部材から前記受動部へ駆動力が伝達されているときに前記第１係合部に当接される第１被当接面と、
前記駆動伝達部材から前記受動部への駆動伝達が解除されるときに前記第１係合部に当接される第２被当接面と
を備え、
前記第１係合部は、前記第１の軸線と交差する方向において前記被検知部材から突出し、前記第１被係合部に接触される接触端部が前記第１の軸線に近づくように弾性変形可能に構成され、
前記第１被当接面は、前記被検知部材の回転方向における上流側から下流側へ向かうに従って、前記第１の軸線に近づくように傾斜され、
前記第２被当接面は、前記回転方向における上流側から下流側へ向かうに従って、前記第１の軸線から離れるように傾斜されている
ことを特徴とする、請求項４または５に記載のカートリッジ。
【請求項７】
前記被検知部材は、第２係合部を備え、前記受動部が前記駆動伝達部材に対して駆動伝達可能となる前に、前記受動部が前記駆動伝達部材から離間した第４位置に配置されるように構成され、
前記筐体は、前記第４位置における前記被検知部材の前記第２係合部が係合することで前記被検知部材の前記第１方向への回転を規制するように構成される第２被係合部を備える
ことを特徴とする、請求項４ないし６のいずれか一項に記載のカートリッジ。
【請求項８】
前記第１係合部は、前記第２係合部を兼ねる
ことを特徴とする、請求項７に記載のカートリッジ。
【請求項９】
請求項１ないし８のいずれか一項に記載のカートリッジと、
静電潜像が形成されるように構成される感光体を有し、前記カートリッジを着脱できるように構成される感光体カートリッジと、
前記感光体カートリッジを着脱できるように構成され、前記第１検知手段と、前記感光体カートリッジが装着されているか否かを検知する第２検知手段とを備える装置本体と
を備え、
前記装置本体は、前記感光体カートリッジが装着されているか否かを検知した後に、前記カートリッジに駆動力を入力する
ことを特徴とする、画像形成装置。
【発明の詳細な説明】
【技術分野】
【０００１】
本発明は、電子写真方式が採用される画像形成装置に装着されるカートリッジ、および、そのカートリッジが装着された画像形成装置に関する。
【背景技術】
【０００２】
電子写真方式が採用される画像形成装置として、感光体と、感光体にトナーを供給する現像カートリッジとを備えるプリンタが知られている。
【０００３】
このようなプリンタでは、装着された現像カートリッジの情報（例えば、現像カートリッジが新品であるか否かなど）を判断するための検知手段を備えている。
【０００４】
例えば、現像カートリッジに所定の駆動量で回転されるように設けられる回転体に、本体ケーシング内の検知アームに当接される当接突起を設け、現像カートリッジが本体ケーシングに装着された後に回転体を回転させて、当接突起によって検知アームを揺動させるとともに、光センサによって検知アームの揺動を検知し、その検知結果に基づいて、現像カートリッジの情報を判断する方法が提案されている（たとえば、特許文献１参照。）。
【先行技術文献】
【特許文献】
【０００５】
【特許文献１】特開２００９−２４４５６４号公報
【発明の概要】
【発明が解決しようとする課題】
【０００６】
しかるに、特許文献１に記載の新品仕様検知装置では、回転体は、当接突起が延びる左右方向外側とは反対側の左右方向内側に設けられるギア歯部において、伝達ギアに噛み合っている。
【０００７】
そのため、回転体が左右方向に大型化し、現像カートリッジを小型化することが困難である。
【０００８】
そこで、本発明の目的は、小型化を図ることができるカートリッジ、および、そのカートリッジが装着された画像形成装置を提供することにある。
【課題を解決するための手段】
【０００９】
（１）上記した課題を解決するため、本発明のカートリッジは、現像剤を収容するためのカートリッジであって、第１の軸線を回転中心として第１方向に回転するように構成されるとともに、外部の第１検知手段によって検知されるように構成される被検知部材と、外部からの駆動力を被検知部材に伝達するように構成される駆動伝達部材とを備える。
【００１０】
被検知部材は、駆動伝達部材と当接することによって駆動伝達部材から駆動力を受けるように構成される受動部と、第１被検知部とを備える。
【００１１】
第１被検知部の少なくとも一部と受動部の少なくとも一部とは、第１の軸線方向において同じ位置にある。
【００１２】
このような構成によれば、第１被検知部は、第１の軸線方向において受動部と同じ位置に配置されている。
【００１３】
そのため、第１被検知部と受動部とを、第１の軸線方向において効率よく配置することができる。
【００１４】
その結果、第１の軸線方向において、カートリッジの小型化を図ることができる。
（２）また、第１被検知部は、受動部の一部であってもよい。この場合、被検知部材は、第１被検知部が駆動伝達部材に対して駆動伝達可能となる第１位置から、第１被検知部が第１検知手段に検知される第２位置へ回転するように構成されてもよい。
【００１５】
このような構成によれば、被検知部材が第１位置から第２位置へ回転するときに、第１被検知部は、駆動伝達部材からの駆動力を受けた後に、第１検知手段に検知される。
【００１６】
そのため、駆動伝達部材からの駆動力を受ける前に、第１検知手段による検知によって第１被検知部が損傷することを防止できる。
【００１７】
その結果、第１被検知部において、駆動伝達部材からの駆動力を確実に受けることができながら、駆動力を受けた後の第１被検知部を利用してカートリッジの情報を検知することができる。
（３）また、被検知部材は、第１被検知部に対して第１方向上流側に設けられる第２被検知部を有してもよい。この場合、第２被検知部の少なくとも一部と受動部の少なくとも一部とは、第１の軸線方向において同じ位置にあってもよい。
【００１８】
このような構成によれば、第２被検知部は、第１の軸線方向において受動部と同じ位置に配置されている。
【００１９】
そのため、第２被検知部と受動部とを、第１の軸線方向において効率よく配置することができる。
【００２０】
その結果、第１被検知部とは別の第２被検知部を備える場合にも、第１の軸線方向において、カートリッジの小型化を図ることができる。
（４）また、本発明のカートリッジは、現像剤を収容するように構成される筐体と、少なくとも被検知部材を被覆する被覆部材とを、さらに備えてもよい。また、被検知部材は、第１係合部を備え、第１被検知部が第１検知手段に検知された後に、受動部が駆動伝達部材から離間した第３位置に配置されるように構成されてもよい。
【００２１】
この場合、筐体および被覆部材の少なくともいずれか一方は、第３位置における被検知部材の第１係合部が係合することで第１方向とは逆の第２方向への回転を規制するように構成される第１被係合部を備えてもよい。
【００２２】
このような構成によれば、第１係合部の第１被係合部に対する係合により、被検知部材を、駆動伝達部材と受動部とが離間した第３位置で保持することができる。
【００２３】
そのため、被検知部材を、第３位置に配置されるまで、所定の駆動量で駆動させることができる。
【００２４】
また、被検知部材が第３位置に配置された後には、駆動伝達部材と被検知部材との駆動伝達を確実に解除することができる。
（５）また、第１係合部は、駆動伝達部材から受動部へ駆動力が伝達されているときに弾性変形され、駆動伝達部材から受動部への駆動伝達が解除されるときに復元するように構成されてもよい。
【００２５】
この場合、被検知部材は、第１係合部の復元力により、第３位置に配置されてもよい。
【００２６】
このような構成によれば、駆動伝達部材からの駆動力を利用して第１係合部を弾性変形させ、その後、弾性変形された第１係合部の復元を利用して駆動伝達部材から受動部への駆動伝達を解除することができる。
【００２７】
そのため、第１係合部を弾性変形可能に形成するという簡易な構成で、駆動伝達部材と被検知部材との駆動伝達を確実に解除することができる。
（６）また、第１被係合部は、第１の軸線と交差する方向において、第１係合部に対向するように構成される対向面を有してもよい。対向面は、駆動伝達部材から受動部へ駆動力が伝達されているときに第１係合部に当接される第１被当接面と、駆動伝達部材から受動部への駆動伝達が解除されるときに第１係合部に当接される第２被当接面とを備えてもよい。
【００２８】
また、第１係合部は、第１の軸線と交差する方向において被検知部材から突出し、第１被係合部に接触される接触端部が第１の軸線に近づくように弾性変形可能に構成されてもよい。
【００２９】
この場合、第１被当接面は、被検知部材の回転方向における上流側から下流側へ向かうに従って、第１の軸線に近づくように傾斜され、第２被当接面は、回転方向における上流側から下流側へ向かうに従って、第１の軸線から離れるように傾斜されてもよい。
【００３０】
このような構成によれば、駆動伝達部材からの駆動力を利用して、第１被当接面の傾斜に沿って第１係合部を弾性変形させることができる。
【００３１】
また、第２被当接面の傾斜に応じて弾性変形された第１係合部を復元させることにより、第１係合部で第２被当接面を押圧して駆動伝達部材から受動部への駆動伝達を解除することができる。
【００３２】
そのため、簡易な構成で、駆動伝達部材と被検知部材との駆動伝達を、より確実に解除することができる。
（７）また、被検知部材は、第２係合部を備え、受動部が駆動伝達部材に対して駆動伝達可能となる前に、受動部が駆動伝達部材から離間した第４位置に配置されるように構成されてもよい。
【００３３】
この場合、筐体は、第４位置における被検知部材の第２係合部が係合することで被検知部材の第１方向への回転を規制するように構成される第２被係合部を備えてもよい。
【００３４】
このような構成によれば、第２係合部の第２被係合部に対する係合により、受動部を駆動伝達部材に対して駆動伝達可能とする前に、被検知部材を第４位置に保持することができる。
【００３５】
そのため、受動部を駆動伝達部材に対して駆動伝達可能とする前に、駆動伝達部材に外部からの駆動力を伝達し、駆動伝達部材の駆動検査を実施することができる。
【００３６】
その結果、受動部を駆動伝達部材に対して駆動伝達可能とした後において、駆動伝達部材を確実に駆動させることができる。
（８）また、第１係合部は、第２係合部を兼ねてもよい。
【００３７】
このような構成によれば、カートリッジの構成の簡略化を図ることができながら、被検知部材を第３位置または第４位置に保持することができる。
（９）また、本発明の画像形成装置は、上記のカートリッジと、静電潜像が形成されるように構成される感光体を有し、カートリッジを着脱できるように構成される感光体カートリッジと、感光体カートリッジを着脱できるように構成され、第１検知手段と、感光体カートリッジが装着されているか否かを検知する第２検知手段とを備える装置本体とを備えてもよい。
【００３８】
この場合、装置本体は、感光体カートリッジが装着されているか否かを検知した後に、カートリッジに駆動力を入力してもよい。
【００３９】
このような構成によれば、カートリッジを感光体カートリッジに装着しないで、誤ってカートリッジのみを装置本体に装着した場合に、カートリッジに駆動力が入力される前に、感光体カートリッジが装着されていないことを検知することができる。
【００４０】
そのため、装置本体に誤装着されたカートリッジに駆動力が入力されることを防止できる。
【００４１】
その結果、カートリッジの誤装着に起因するカートリッジおよび装置本体の損傷を防止することができる。
【発明の効果】
【００４２】
本発明のカートリッジによれば、第１の軸線方向において小型化を図ることができる。
【００４３】
また、本発明の画像形成装置によれば、カートリッジの誤装着に起因するカートリッジおよび装置本体の損傷を防止することができる。
【図面の簡単な説明】
【００４４】
【図１】図１は、本発明の画像形成装置の第１実施形態としてのプリンタの中央断面図である。
【図２】図２は、図１に示すドラムカートリッジの左上側から見た斜視図である。
【図３】図３は、図２に示すドラムカートリッジの右側面図である。
【図４】図４は、図１に示す現像カートリッジの左前側から見た分解斜視図である。
【図５】図５は、図１に示す現像カートリッジの左前側から見た斜視図であって、ギアカバーを外した状態を示す。
【図６】図６は、図５に示す現像カートリッジの底面図である。
【図７】図７は、図４に示すギアカバーの右後側から見た斜視図である。
【図８】図８は、図１に示す現像カートリッジの左側面図である。
【図９】図９は、図８に示す現像カートリッジの底面図である。
【図１０】図１０は、図８に示す現像カートリッジのＡ−Ａ断面図である。
【図１１】図１１は、現像カートリッジの駆動検査を実施するときの被検知ギアの配置を説明するための説明図である。
【図１２】図１２は、図１に示すプロセスカートリッジの断面図である。
【図１３】図１３は、現像カートリッジの新品検知動作を説明する説明図であって、被検知ギアの第１当接部がアクチュエータに当接し、アクチュエータが検知位置に配置された状態を示す。
【図１４】図１４は、図１３に示す状態における被検知ギアとアイドルギアとの噛合を説明する説明図である。
【図１５】図１５は、図１３に続いて、現像カートリッジの新品検知動作を説明する説明図であって、被検知ギアの第１当接部がアクチュエータから後側へ離間し、アクチュエータが非検知位置に配置された状態を示す。
【図１６】図１６は、図１５に続いて、現像カートリッジの新品検知動作を説明する説明図であって、被検知ギアの第１係合部がギアカバーの対向リブの第１摺擦部に接触された状態を示す。
【図１７】図１７は、図１６に続いて、現像カートリッジの新品検知動作を説明する説明図であって、被検知ギアの第２当接部がアクチュエータに前上側から接触された状態を示す。
【図１８】図１８は、図１７に続いて、現像カートリッジの新品検知動作を説明する説明図であって、被検知ギアの第１係合部がギアカバーの対向リブの屈曲部分に接触された状態を示す。
【図１９】図１９は、図１８に続いて、現像カートリッジの新品検知動作を説明する説明図であって、被検知ギアの第２当接部がアクチュエータに当接し、アクチュエータが検知位置に配置された状態を示す。
【図２０】図２０は、図１９に示す状態において、被検知ギアとアイドルギアとの噛合の解除を説明する説明図である。
【図２１】図２１は、第２実施形態における現像カートリッジの駆動検査を実施するときの被検知ギアの配置を説明するための説明図である。
【図２２】図２２は、第２実施形態における被検知ギアを説明する説明図であって、被検知ギアの第１当接部がアクチュエータに当接し、アクチュエータが検知位置に配置された状態を示す。
【図２３】図２３は、図２２に続いて、第２実施形態における被検知ギアを説明する説明図であって、被検知ギアの第１当接部がアクチュエータから後側へ離間し、アクチュエータが非検知位置に配置された状態を示す。
【図２４】図２４は、図２３に続いて、第２実施形態における被検知ギアを説明する説明図であって、被検知ギアの第２当接部がアクチュエータに当接し、アクチュエータが検知位置に配置された状態を示す。
【発明を実施するための形態】
【００４５】
１．プリンタ
図１に示すように、画像形成装置の一例としてのプリンタ１は、略ボックス形状の装置本体の一例としての本体ケーシング２を備えている。
【００４６】
また、プリンタ１は、本体ケーシング２内において、用紙Ｓを給紙するための給紙部３と、給紙された用紙Ｓに画像を形成するための画像形成部４とを備えている。
【００４７】
なお、プリンタ１およびプロセスカートリッジ１５（後述）に関し、方向について言及する場合には、それぞれ水平方向に載置したときの方向を基準とし、具体的には、図中に示した矢印方向を基準とする。
（１）本体ケーシング
本体ケーシング２には、プロセスカートリッジ１５（後述）を着脱するためのカートリッジ開口部５と、用紙Ｓを導入するための用紙開口部６とが形成されている。
【００４８】
カートリッジ開口部５は、本体ケーシング２の上端部において、上下方向に貫通形成されている。
【００４９】
用紙開口部６は、本体ケーシング２の前端部における下端部において、前後方向に貫通形成されている。
【００５０】
また、本体ケーシング２には、その上端部に、トップカバー７が設けられ、その前端部に、給紙カバー８が設けられている。
【００５１】
トップカバー７は、その後端部を支点として、カートリッジ開口部５を閉鎖する閉鎖位置と、カートリッジ開口部５を開放する開放位置とに揺動（移動）可能に設けられている（図１仮想線参照）。
【００５２】
給紙カバー８は、その下端部を支点として、用紙開口部６を閉鎖する第１位置と、用紙開口部６を開放する第２位置とに揺動（移動）可能に設けられている。
（２）給紙部
給紙部３は、本体ケーシング２の底部に設けられる用紙載置部９を備えている。
【００５３】
用紙載置部９は、用紙開口部６を介して、本体ケーシング２の外部と連通されている。
【００５４】
そして、用紙Ｓは、給紙カバー８が第２位置に配置された状態において、その前側部分が給紙カバー８の上面にスタックされるとともに、その後側部分が用紙開口部６を介して用紙載置部９内にスタックされる。
【００５５】
また、給紙部３は、用紙載置部９の後端部上側に配置されるピックアップローラ１１と、ピックアップローラ１１の後側に配置される給紙ローラ１２と、給紙ローラ１２の後下側に対向配置される給紙パッド１３と、給紙パッド１３の後端部から連続して上方に向かって延びる給紙パス１４とを備えている。
（３）画像形成部
画像形成部４は、プロセスカートリッジ１５と、スキャナユニット１６と、定着ユニット１７とを備えている。
（３−１）プロセスカートリッジ
プロセスカートリッジ１５は、本体ケーシング２に対して着脱可能に構成され、給紙部３の後側部分の上側において、本体ケーシング２に装着されている。
【００５６】
プロセスカートリッジ１５は、本体ケーシング２に対して着脱可能に構成される感光体カートリッジの一例としてのドラムカートリッジ１８と、そのドラムカートリッジ１８に着脱可能に構成されるカートリッジの一例としての現像カートリッジ１９とを備えている。
【００５７】
ドラムカートリッジ１８は、感光体の一例としての感光ドラム２０と、転写ローラ２１と、スコロトロン型帯電器２２とを備えている。
【００５８】
感光ドラム２０は、左右方向（直交方向）に長手の略円筒形状に形成されており、ドラムカートリッジ１８の後側部分に設けられている。感光ドラム２０は、その中心軸線に沿って左右方向に延びる回転軸（以下、ドラム軸Ｓ１と記載する）を備え、ドラム軸Ｓ１を回転中心として回転可能である。
【００５９】
転写ローラ２１は、左右方向に延びる略円柱形状に形成され、感光ドラム２０に対して後側から圧接されるように、ドラムカートリッジ１８の後側部分に設けられている。
【００６０】
詳しくは、転写ローラ２１は、その中心軸線が感光ドラム２０の中心軸線よりも僅かに下側に位置するように、感光ドラム２０の後側に配置されている。なお、転写ローラ２１の下端縁は、感光ドラム２０の下端縁よりも上側に配置されている。具体的には、転写ローラ２１の中心軸線と感光ドラム２０の中心軸線とを結ぶ仮想の線分（図示せず）と、前後方向に沿って水平に延びる仮想の直線（図示せず）とが形成する鋭角の角度は、約３°である。そのため、転写ローラ２１が感光ドラム２０に対して圧接される圧力（転写圧）には、転写ローラ２１の自重が影響しない。
【００６１】
スコロトロン型帯電器２２は、感光ドラム２０の前上側に間隔を隔てて対向配置されている。
【００６２】
詳しくは、スコロトロン型帯電器２２は、転写ローラ２１に対して、感光ドラム２０の周方向に間隔を隔てて配置されており、感光ドラム２０の中心軸線と転写ローラ２１の中心軸線とを結ぶ仮想の線分（図示せず）と、感光ドラム２０の中心軸線と帯電ワイヤ２３（後述）とを結ぶ仮想の線分（図示せず）とが形成する角の角度が約１２０°となるように配置されている。
【００６３】
また、スコロトロン型帯電器２２は、帯電ワイヤ２３と、グリッド２４とを備えている。
【００６４】
帯電ワイヤ２３は、左右方向に延びるように張設され、感光ドラム２０の前上側に間隔を隔てて対向配置されている。
【００６５】
グリッド２４は、前上側に向かって開放された側面視略Ｕ字形状に形成され、帯電ワイヤ２３を後下側から囲うように設けられている。
【００６６】
現像カートリッジ１９は、感光ドラム２０の前下側に配置されており、筐体の一例としての現像フレーム２５を備えている。
【００６７】
現像フレーム２５内には、トナー収容室２６と、現像室２７とが前後に並んで形成されている。トナー収容室２６と現像室２７とは、それらの容積がそれぞれ略同じに形成され、連通口２８により連通されている。
【００６８】
トナー収容室２６には、トナー（現像剤）が収容され、その前後上下方向略中央部分には、アジテータ２９が設けられている。つまり、アジテータ２９は、感光ドラム２０よりも下側に配置されている。
【００６９】
アジテータ２９は、左右方向に延びる回転軸（以下、アジテータ軸Ｓ２と記載する）を備え、アジテータ軸Ｓ２を回転中心として回転可能である。
【００７０】
現像室２７には、下壁７２（後述）における上面において、供給ローラ溝３０と、現像ローラ対向面３１と、ロアフィルム貼着面３２とが形成されている。
【００７１】
供給ローラ溝３０は、供給ローラ３３（後述）の周面に沿う略半円形状であって、後下方に向かって窪むように形成されている。
【００７２】
現像ローラ対向面３１は、現像ローラ３４（後述）の周面に沿う略円弧形状であって、供給ローラ溝３０の後端部から連続して後上側に延びるように形成されている。
【００７３】
ロアフィルム貼着面３２は、現像ローラ対向面３１の後端部から連続して後方に向かって延びるように形成されている。つまり、ロアフィルム貼着面３２は、現像ローラ対向面３１よりも上側に配置されている。
【００７４】
また、ロアフィルム貼着面３２は、感光ドラム２０の下側部分に対して上下方向に間隔を隔てて対向配置されており、上下方向に投影したときに、感光ドラム２０の中心軸線と重なるように配置されている。
【００７５】
また、現像室２７には、供給ローラ３３と、現像ローラ３４と、層厚規制ブレード３５と、ロアフィルム３６とが設けられている。
【００７６】
供給ローラ３３は、左右方向に延びる略円柱形状に形成され、その下側部分が供給ローラ溝３０内に配置されるように、現像室２７の前側部分に設けられている。供給ローラ３３は、その中心軸線に沿って左右方向に延びる回転軸（以下、供給ローラ軸Ｓ３と記載する）を備え、供給ローラ軸Ｓ３を回転中心として回転可能である。これにより、供給ローラ３３は、トナー収容室２６の後側に配置されており、上下方向においてトナー収容室２６と略同じ高さ（トナー収容室２６よりもわずかに上側）に配置されている。
【００７７】
現像ローラ３４は、左右方向に延びる略円柱形状に形成され、その下側部分における周面と現像ローラ対向面３１とが互いに間隔を隔てて対向するように、現像室２７の後側部分に設けられている。現像ローラ３４は、その中心軸線に沿って左右方向に延びる回転軸（以下、現像ローラ軸Ｓ４と記載する）を備え、現像ローラ軸Ｓ４を回転中心として回転可能である。
【００７８】
また、現像ローラ３４は、供給ローラ３３に後上側から接触するとともに、その上側および後側部分が現像室２７から露出されるように設けられ、感光ドラム２０に対して前下側から接触している。つまり、現像ローラ３４は、供給ローラ３３の後上側に配置されるとともに、感光ドラム２０の前下側に配置されている。そして、供給ローラ３３の中心軸線、現像ローラ３４の中心軸線および感光ドラム２０の中心軸線は、感光ドラム２０の径方向に沿う略同一直線上に位置されている。
【００７９】
また、現像ローラ３４は、スコロトロン型帯電器２２に対して、感光ドラム２０の周方向に間隔を隔てて配置されており、感光ドラム２０の中心軸線と帯電ワイヤ２３とを結ぶ仮想の線分（図示せず）と、感光ドラム２０の中心軸線と現像ローラ３４の中心軸線とを結ぶ仮想の線分（図示せず）とが形成する角の角度が約１２０°となるように配置されている。つまり、現像ローラ３４、スコロトロン型帯電器２２および転写ローラ２１のそれぞれは、感光ドラム２０の周方向において略等間隔を隔てて配置されている。
【００８０】
層厚規制ブレード３５は、その上端部が、現像室２７の上壁の後端部に固定され、その下端部が、現像ローラ３４に前側から接触されている。
【００８１】
ロアフィルム３６は、その後側部分がロアフィルム貼着面３２に固定され、その前端部が、現像ローラ対向面３１の上側において、現像ローラ３４の周面と接触されている。
（３−２）スキャナユニット
スキャナユニット１６は、プロセスカートリッジ１５の前側において、感光ドラム２０と前後方向に間隔を隔てて対向するように配置されている。
【００８２】
スキャナユニット１６は、感光ドラム２０に向けて、画像データに基づいて、レーザービームＬを出射し、感光ドラム２０の周面を露光する。
【００８３】
詳しくは、レーザービームＬは、スキャナユニット１６から後側に向かって出射され、感光ドラム２０の前端部における周面を露光する。つまり、感光ドラム２０が露光される露光点（感光ドラム２０の前端部における周面）は、感光ドラム２０の中心軸線に対して、感光ドラム２０と転写ローラ２１とが接触するニップ部分の反対側に設定されている。
【００８４】
このとき、現像カートリッジ１９は、レーザービームＬの出射軌跡よりも下側に配置され、スコロトロン型帯電器２２は、レーザービームＬの出射軌跡よりも上側に配置されている。
【００８５】
なお、スキャナユニット１６と感光ドラム２０との間に対応する本体ケーシング２の内側面には、プロセスカートリッジ１５の着脱を案内するガイド部３７が設けられている。そして、プロセスカートリッジ１５が本体ケーシング２から離脱されるときには、プロセスカートリッジ１５がガイド部３７にガイドされることにより、ドラムカートリッジ１８に装着される現像カートリッジ１９が、レーザービームＬの出射軌跡を下側から上側に向かって通過する。
【００８６】
このとき、プロセスカートリッジ１５に設けられる各種ローラ（転写ローラ２１、供給ローラ３３および現像ローラ３４）も、レーザービームＬの出射軌跡を下側から上側に向かって通過する。
（３−３）定着ユニット
定着ユニット１７は、ドラムカートリッジ１８の後側部分の上側に配置されている。詳しくは、定着ユニット１７は、スコロトロン型帯電器２２の上側に配置される加熱ローラ３８と、加熱ローラ３８に対して後上側から圧接される加圧ローラ３９とを備えている。
【００８７】
つまり、加熱ローラ３８は、スコロトロン型帯電器２２のグリッド２４の上端部（開放側端部）近傍に配置されている。
（４）画像形成動作
現像カートリッジ１９のトナー収容室２６内のトナーは、アジテータ２９の回転により、連通口２８を介して、供給ローラ３３に供給され、さらに、現像ローラ３４に供給され、供給ローラ３３と現像ローラ３４との間で正極性に摩擦帯電される。
【００８８】
現像ローラ３４に供給されたトナーは、現像ローラ３４の回転に伴って、層厚規制ブレード３５によって厚さが規制され、一定厚さの薄層として現像ローラ３４の表面に担持される。
【００８９】
一方、感光ドラム２０の表面は、スコロトロン型帯電器２２によって一様に帯電された後、スキャナユニット１６によって露光される。これにより、感光ドラム２０の周面には、画像データに基づく静電潜像が形成される。そして、現像ローラ３４に担持されるトナーが感光ドラム２０の周面上の静電潜像に供給されることにより、感光ドラム２０の周面上にトナー像（現像剤像）が担持される。
【００９０】
用紙載置部９にスタックされた用紙Ｓは、ピックアップローラ１１の回転により、給紙ローラ１２と給紙パッド１３との間に送られ、給紙ローラ１２の回転により１枚ずつ捌かれる。その後、捌かれた用紙Ｓは、給紙ローラ１２の回転により、給紙パス１４に搬送されて、所定のタイミングで１枚ずつ、画像形成部４（感光ドラム２０（後述）と転写ローラ２１（後述）との間）に給紙される。
【００９１】
そして、用紙Ｓは、感光ドラム２０と転写ローラ２１との間を下側から上側に向かって搬送される。このとき、用紙Ｓに、トナー像が転写され、画像が形成される。
【００９２】
そして、用紙Ｓは、加熱ローラ３８と加圧ローラ３９との間を通過するときに加熱および加圧される。このとき、用紙Ｓには、画像が熱定着される。
【００９３】
その後、用紙Ｓは、排紙ローラ４０に向けて搬送され、排紙ローラ４０によって、本体ケーシング２の上面に形成された排紙トレイ４１上に排紙される。
【００９４】
このように用紙Ｓは、用紙載置部９から給紙され、感光ドラム２０と転写ローラ２１との間（ニップ部分）を通過し、次いで、加熱ローラ３８と加圧ローラ３９との間を通過した後、排紙トレイ４１上に排紙されるように、側面視略Ｃ字状の搬送パスを搬送される。
２．ドラムカートリッジ
図２および図３に示すように、ドラムカートリッジ１８は、ドラムフレーム５１を備えている。
【００９５】
なお、以下のドラムカートリッジ１８の説明において、方向について言及するときには、感光ドラム２０が配置されている側を後側とし、スコロトロン型帯電器２２が配置されている側を上側とする。すなわち、ドラムカートリッジ１８に関する上下前後方向は、プリンタ１に関する上下前後方向と若干異なり、ドラムカートリッジ１８は、その後側がプリンタ１の後上側、その前側がプリンタ１の前下側となるように、プリンタ１に装着されている。
【００９６】
ドラムフレーム５１は、左右１対の側壁５２、下壁５３、前壁５４、後壁５５および上壁５６を備えている。
【００９７】
側壁５２は、前後方向に延びる略平板形状に形成されている。側壁５２は、その後側半分を構成する後側部分５７と、その前側半分を構成する前側部分５８とを一体的に備えている。
【００９８】
後側部分５７は、上下方向に延びる側面視略矩形状に形成されている。右側の側壁５２の後側部分５７には、ワイヤ電極６２と、グリッド電極６３とが設けられている。
【００９９】
ワイヤ電極６２は、後側部分５７の前上側端部に配置され、前後方向に延びる略直線形状の接点６４を有している。ワイヤ電極６２は、帯電ワイヤ２３に電気的に接続されている。
【０１００】
グリッド電極６３は、後側部分５７の後上側端部に配置され、上下方向に長手の側面視略矩形の平板形状に形成されている。グリッド電極６３は、グリッド２４に電気的に接続されている。
【０１０１】
前側部分５８は、後側部分５７の下側の前端部から連続して前側へ延びる側面視略矩形状に形成されている。
【０１０２】
下壁５３は、前後左右に延び、両側壁５２の下端部間に架設される略平板形状に形成されている。
【０１０３】
前壁５４は、下壁５３の前端部から連続して上側へ延び、両側壁５２の前端部間に架設される略平板形状に形成されている。
【０１０４】
後壁５５は、両側壁５２の後端部間に架設されている。後壁５５は、下壁５３の後端部から連続して上側へ延び、上側へ向かうに従って前側へ湾曲される略平板形状に形成されている。後壁５５の内側（前側）には、上記した転写ローラ２１が回転可能に支持されている。
【０１０５】
上壁５６は、ドラムフレーム５１の上端部に設けられ、後壁５５の上端部から前側へ延びる略平板形状に形成されている。上壁５６の内側（下側）には、上記したスコロトロン型帯電器２２が支持されている。
【０１０６】
そして、ドラムカートリッジ１８において、下壁５３の後端部、後壁５５、上壁５６、および、両側壁５２の後側部分５７によって、感光ドラム２０を収容するドラム収容部５９が区画されている。
【０１０７】
感光ドラム２０は、ドラム軸Ｓ１の左右両端部において、それぞれ、対応する側壁５２の後側部分５７に回転可能に支持されている。なお、ドラム軸Ｓ１の左右方向端部は、側壁５２の後側部分５７を貫通して左右方向外側へ突出されている。
【０１０８】
また、ドラムカートリッジ１８において、下壁５３、前壁５４、および、両側壁５２の前側部分５８によって、現像カートリッジ１９が装着されるカートリッジ装着部６０が区画されている。カートリッジ装着部６０には、被検知ギア露出開口６１が形成されている。
【０１０９】
被検知ギア露出開口６１は、ドラムフレーム５１の左端部の前下側端部に配置されている。被検知ギア露出開口６１は、下壁５３の前端部と前壁５４の下端部とにわたって、前後方向に延びる平面視略矩形状に貫通形成されている。
３．現像カートリッジ
現像カートリッジ１９は、上記し、図４に示すように、現像フレーム２５と、現像フレーム２５の左側に配置される駆動ユニット７０を備えている。なお、現像フレーム２５の右側には、現像カートリッジ１９に電力を供給するための給電ユニット（図示せず）が設けられている。
【０１１０】
なお、以下の現像カートリッジ１９の説明において、方向について言及するときには、現像ローラ３４が配置されている側を後側とし、層厚規制ブレード３５が配置されている側を上側とする。すなわち、現像カートリッジ１９に関する上下前後方向は、プリンタ１に関する上下前後方向と若干異なり、現像カートリッジ１９は、その後側がプリンタ１の後上側、その前側がプリンタ１の前下側となるように、プリンタ１に装着されている。
（１）現像フレーム
現像フレーム２５は、左右方向に延びる略ボックス形状に形成されている。詳しくは、現像フレーム２５は、左右１対の側壁７１と、下壁７２と、前壁７３と、上壁７４とを備えている。
【０１１１】
１対の側壁７１は、トナー収容室２６を挟むように、互いに左右方向に間隔を隔てて対向配置されている。なお、以下の説明においては、駆動ユニット７０を支持する左側の側壁７１を詳しく説明し、右側の側壁７１の説明を省略する。また、左側の側壁７１を単に側壁７１と記載する。
【０１１２】
側壁７１は、前後方向に延びる側面視略矩形状に形成されている。側壁７１には、シール収容部７５と、アジテータ軸露出部７６と、アイドルギア支持部７７と、被検知ギア支持部７８と、第２被係合部の一例としての駆動検査用被係合部７９と、被係合ボス８０とが形成されている。
【０１１３】
シール収容部７５は、側壁７１の後端部において、現像室２７に対応するように、側壁７１の左面から左側へ膨出し、左端部が閉鎖された略筒形状に形成されている。シール収容部７５の左壁には、現像ローラ軸Ｓ４の左端部を露出させる現像ローラ軸露出穴（図示せず）と、供給ローラ軸Ｓ３の左端部を露出させる供給ローラ軸露出穴（図示せず）とが貫通形成されている。供給ローラ軸露出穴（図示せず）内には、供給ローラ軸Ｓ３の外周面と供給ローラ軸露出穴（図示せず）の内周面との間をシールするシール部材（図示せず）が設けられている。
【０１１４】
なお、シール収容部７５から左側へ露出された現像ローラ軸Ｓ４の左端部には、ギア嵌合部Ｓ４１と、カラー嵌合部Ｓ４２とが設けられている。
【０１１５】
ギア嵌合部Ｓ４１は、断面視略Ｄ字形状に形成されている。
【０１１６】
カラー嵌合部Ｓ４２は、ギア嵌合部Ｓ４１の左面から左側へ延び、ギア嵌合部Ｓ４１よりも小径な略円柱形状に形成されている。
【０１１７】
また、シール収容部７５から左側へ露出された供給ローラ軸Ｓ３の左端部は、断面視略Ｄ字形状に形成されている。
【０１１８】
アジテータ軸露出部７６は、シール収容部７５の前側において、側面視略円筒形状に形成されている。
【０１１９】
アジテータ軸露出部７６内には、図１０に示すように、側壁７１を貫通するアジテータ軸挿通穴８８が形成されている。また、アジテータ軸露出部７６内には、側壁７１の左側において、アジテータ軸シール８９が設けられている。
【０１２０】
アジテータ軸挿通穴８８は、アジテータ軸Ｓ２の左右方向端部の外径よりも大径な内径を有する側面視略円形状に形成されている。そして、アジテータ軸Ｓ２の左端部は、アジテータ軸挿通穴８８を介して、側壁７１から左側へ露出されている。
【０１２１】
なお、アジテータ軸挿通穴８８から左側へ露出されたアジテータ軸Ｓ２の左端部は、断面視略Ｄ字形状に形成されている。また、アジテータ軸挿通穴８８から左側へ露出されたアジテータ軸Ｓ２の左面には、その周縁部から径方向内側へ凹むように、側面視略半円形状の凹部Ｓ２１が形成されている。
【０１２２】
アジテータ軸シール８９は、スポンジなどの弾性材料から左右方向に厚みを有する略円環形状に形成され、アジテータ軸Ｓ２に、断面視略Ｄ字形状の部分の右側において外嵌（アジテータ軸Ｓ２の径方向外側から嵌合）されるとともに、アジテータ軸露出部７６内に嵌合されている。
【０１２３】
図４に示すように、アイドルギア支持部７７は、アジテータ軸露出部７６の前上側において、側壁７１の左面から左側へ突出する略円柱形状に形成されている。
【０１２４】
被検知ギア支持部７８は、アイドルギア支持部７７の前下側において、側壁７１の左面から左側へ突出する側面視略十字形の柱形状に形成されている。被検知ギア支持部７８は、アイドルギア支持部７７よりも左側へ突出されている。
【０１２５】
駆動検査用被係合部７９は、アイドルギア支持部７７と被検知ギア支持部７８との間において、側壁７１の左面から左側へ突出する略角柱形状に形成されている。また、駆動検査用被係合部７９の左面は、後上側へ向かうに従って左側へ傾斜している。駆動検査用被係合部７９の左端部は、被検知ギア支持部７８の左端部よりも右側に配置されている。
【０１２６】
被係合ボス８０は、駆動検査用被係合部７９の下側において、側壁７１の左面から左側へ突出する略角柱形状に形成されている。駆動検査用被係合部７９の左端部は、被検知ギア支持部７８の左端部よりも右側に配置されている。
【０１２７】
また、側壁７１には、複数（２つ）の被係止部６８と、複数（２つ）の螺合部６９とを備えている。
【０１２８】
複数の被係止部６８は、被検知ギア支持部７８の上側と、アジテータ軸露出部７６の下側（図６参照）とに１つずつ設けられている。
【０１２９】
上側の被係止部６８は、被検知ギア支持部７８の上側において、側壁７１の左面から左側へ向かって突出し、その左端部において上側へ屈曲する略鉤形状に形成されている。
【０１３０】
下側の被係止部６８は、アジテータ軸露出部７６の右端部において、その下面から下側へ突出し、前後方向に延びる突条である（図６参照）。
【０１３１】
複数の螺合部６９は、側壁７１の後上側端部と後下側端部とに１つずつ設けられている。螺合部６９は、側壁７１の左面から左側へ向かって突出する略円柱形状に形成されている。螺合部６９には、その左面から右側へ凹むように、ねじ穴６６が形成されている。また、下側の螺合部６９には、縮径部６７が形成されている。
【０１３２】
縮径部６７は、下側の螺合部６９の左端部において、ねじ穴６６の周縁部から左側へ延びる略円筒形状に形成されている。縮径部６７の外径は、下側の螺合部６９における縮径部６７より右側の部分の外径よりも小径である。
【０１３３】
下壁７２は、前後方向に延びる略平板形状に形成され、その左右方向両端部において、両側壁７１の下端部に連続されている（図５参照）。
【０１３４】
前壁７３は、下壁７２の前端部から連続して上側へ延びる略平板形状に形成され、その左右方向両端部において、両側壁７１の前端部に連続されている。
【０１３５】
上壁７４は、前後左右に延びる略平板形状に形成され、両側壁７１および前壁７３の上端部に上側から対向配置されている。上壁７４は、その周縁部において、両側壁７１および前壁７３の上端部に対して、溶着などの方法により固定されている。
（２）駆動ユニット
駆動ユニット７０は、軸受部材８１と、ギア列８３（図５参照）と、カラー部材８２と、被覆部材の一例としてのギアカバー８４とを備えている。
（２−１）軸受部材
軸受部材８１は、シール収容部７５の左側において、現像フレーム２５に支持されている。軸受部材８１は、上下方向に延びる略平板形状に形成されている。軸受部材８１には、現像ローラ軸挿通穴８５と、供給ローラ軸挿通穴８６とが形成されている。また、軸受部材８１は、カップリング支持部８７を備えている。
【０１３６】
現像ローラ軸挿通穴８５は、軸受部材８１の後端部において、側面視略円形状に貫通形成されている。現像ローラ軸挿通穴８５の内径は、現像ローラ軸Ｓ４の外径と略同径（わずかに大径）に形成されている。
【０１３７】
供給ローラ軸挿通穴８６は、現像ローラ軸挿通穴８５の前下側において、側面視略円形状に貫通形成されている。供給ローラ軸挿通穴８６の内径は、供給ローラ軸Ｓ３の外径と略同径（わずかに大径）に形成されている。
【０１３８】
カップリング支持部８７は、現像ローラ軸挿通穴８５の前側、かつ、供給ローラ軸挿通穴８６の上側において、軸受部材８１の左面から左側へ突出する略円筒形状に形成されている。
（２−２）ギア列
ギア列８３は、図４および図５に示すように、現像カップリング９１、現像ギア９２、供給ギア９３、駆動伝達部材の一例としてのアイドルギア９４、アジテータギア９５、および、被検知部材の一例としての被検知ギア９６を備えている。
【０１３９】
現像カップリング９１は、左右方向に延びる略円柱形状に形成されている。現像カップリング９１は、大径ギア部９７と、小径ギア部９８と、カップリング部９９とを一体的に有している。
【０１４０】
大径ギア部９７は、現像カップリング９１の右端部に設けられ、左右方向に厚みを有する略円板形状に形成されている。なお、大径ギア部９７の径方向中央には、カップリング支持部８７の外径よりも大径（ほぼ同径）な貫通穴（図示せず）が形成されている。また、大径ギア部９７の周面には、その全周にわたってギア歯が形成されている。
【０１４１】
小径ギア部９８は、大径ギア部９７の貫通穴（図示せず）を囲うように、大径ギア部９７の左面から左側へ突出する略円筒形状に形成されている。小径ギア部９８の外径は、大径ギア部９７の外径よりも小径である。小径ギア部９８の内径は、大径ギア部９７の貫通穴（図示せず）よりも大径である。また、小径ギア部９８の中心軸線は、大径ギア部９７の中心軸線と一致している。小径ギア部９８の外周面には、その全周にわたってギア歯が形成されている。小径ギア部９８の歯数は、大径ギア部９７の歯数よりも少ない。
【０１４２】
カップリング部９９は、小径ギア部９８の径方向内側に配置されている。カップリング部９９は、大径ギア部９７の左面において、貫通穴（図示せず）の周縁部から連続して左側へ突出し、左端部が閉鎖された略円筒形状に形成されている。カップリング部９９の外径は、小径ギア部９８の内径よりも小径である。カップリング部９９の内径は、大径ギア部９７の貫通穴（図示せず）の内径と同径である。また、カップリング部９９の中心軸線は、大径ギア部９７の中心軸線と一致している。また、カップリング部９９の左面には、結合凹部１００が形成されている。
【０１４３】
結合凹部１００は、現像カップリング９１の左面から右側へ凹むように、現像カップリング９１の径方向に延びる側面視略長穴形状に形成されている。結合凹部１００には、本体ケーシング２内に設けられる本体カップリング４６（図５参照）の結合凸部４７（図５参照）が駆動伝達可能に嵌合される。
【０１４４】
現像ギア９２は、左右方向に延びる略円筒形状に形成されている。現像ギア９２は、ギア部１０１と、カラー挿入部１０２とを一体的に有している。
【０１４５】
ギア部１０１は、現像ギア９２の右端部に設けられ、左右方向に厚みを有する略円板形状に形成されている。なお、ギア部１０１の径方向中央には、現像ローラ軸Ｓ４の左端部を受け入れ可能な側面視略Ｄ字形状の貫通穴（図示せず）が形成されている。ギア部１０１の周面には、その全周にわたってギア歯が形成されている。
【０１４６】
カラー挿入部１０２は、ギア部１０１の左端部から連続して左側へ突出する略円筒形状に形成されている。カラー挿入部１０２の外径は、ギア部１０１の外径よりも小径である。カラー挿入部１０２の中心軸線は、ギア部１０１の中心軸線と一致している。
【０１４７】
供給ギア９３は、左右方向に厚みを有する略円板形状に形成されている。供給ギア９３の径方向中央には、供給ローラ軸Ｓ３の左端部を受け入れ可能な側面視略Ｄ字形状の供給ローラ軸嵌合穴１０３が貫通形成されている。供給ギア９３の周面には、その全周にわたって、左右方向に延びるギア歯が形成されている。
【０１４８】
アイドルギア９４は、左右方向に延びる略円筒形状に形成されている。アイドルギア９４は、大径部１０４と、小径部１０５とを一体的に有している。
【０１４９】
大径部１０４は、アイドルギア９４の左端部に設けられ、左右方向に厚みを有する略円板形状に形成されている。大径部１０４の径方向中央には、側面視略円形状の嵌合穴１０６が貫通形成されている。大径部１０４の外径は、カップリング部９９の小径ギア部９８の外径よりも小径である。大径部１０４の周面には、その全周にわたって、ギア歯が形成されている。大径部１０４の歯数は、カップリング部９９の小径ギア部９８の歯数よりも少ない。
【０１５０】
小径部１０５は、大径部１０４の右面において、嵌合穴１０６の周縁部から右側へ延びる略円筒形状に形成されている。小径部１０５の外径は、大径部１０４の外径よりも小径である。小径部１０５は、大径部１０４と中心軸線を共有している。小径部１０５の周面には、その全周にわたって、ギア歯が形成されている。小径部１０５の歯数は、大径部１０４の歯数よりも少ない。
【０１５１】
アジテータギア９５は、左右方向に厚みを有する略円板形状に形成されている。アジテータギア９５の径方向中央には、アジテータ軸Ｓ２の左端部を受け入れ可能な側面視略Ｄ字形状のアジテータ軸嵌合穴１０７が貫通形成されている。アジテータギア９５の周面には、その全周にわたって、ギア歯が形成されている。また、アジテータギア９５には、アジテータ軸嵌合穴１０７内において、突起１０８が設けられている。
【０１５２】
突起１０８は、アジテータ軸嵌合穴１０７の左端部において、その内周面から内側（アジテータ軸嵌合穴１０７の内側）へ向かって突出する側面視略半円形状に形成されている。突起１０８の外径は、アジテータ軸Ｓ２の凹部Ｓ２１の内径よりも小径である。
【０１５３】
被検知ギア９６は、左右方向に厚みを有する略半円板形状に形成されている。詳しくは、図４および図１１に示すように、被検知ギア９６は、軸部１１１と、歯部１１２と、第２被検知部の一例としての第１当接部１１３と、第１被検知部の一例としての第２当接部１１４と、第１係合部１１５と、第２係合部１１６とを備えている。
【０１５４】
軸部１１１は、被検知ギア９６の径方向中央に配置され、左右方向に延びる略円筒形状に形成されている。軸部１１１の内径は、被検知ギア支持部７８の外径よりも大径（略同径）である。
【０１５５】
歯部１１２は、被検知ギア９６の外形形状を形成し、左右方向に厚みを有する略半円板形状に形成されている。歯部１１２の左右方向長さは、軸部１１１の左右方向長さよりも短い。歯部１１２の周面には、左右方向に延びるギア歯が形成されている。
【０１５６】
第１当接部１１３は、左側面視時計回り方向（第１方向）において、歯部１１２の上流側端部の上流側に連続されている。つまり、第１当接部１１３は、左右方向において歯部１１２と同じ位置にある。第１当接部１１３は、軸部１１１から径方向外側（被検知ギア９６の径方向における外側。以下、被検知ギア９６の説明において同じ。）へ向かって延び、左側面視時計回り方向上流側へ屈曲される略平板形状に形成されている。第１当接部１１３の左右方向長さは、歯部１１２の左右方向長さよりも長く、軸部１１１の左右方向長さよりも短い。
【０１５７】
第２当接部１１４は、左側面視時計回り方向において、歯部１１２の下流側端部の下流側に連続されている。つまり、第２当接部１１４は、左右方向において歯部１１２と同じ位置にある。第２当接部１１４は、軸部１１１から径方向外側へ向かって延びる略平板形状に形成されている。また、第２当接部１１４の径方向外側端部には、歯部１１２のギア歯に連続するように、左右方向に延びるギア歯が形成されている。これにより、第２当接部１１４は、歯部１１２とともに受動部１１０を構成する。また、第２当接部１１４の左右方向長さは、第１当接部１１３の左右方向長さと同じ長さである。
【０１５８】
第１係合部１１５は、軸部１１１の左端部から径方向外側（軸部１１１に対して歯部１１２の反対側）へ向かって、屈曲しながら突出する略杆形状に形成されている。詳しくは、第１係合部１１５は、左右方向に投影したときにその軸部１１１側の端部が第１当接部１１３と重なるように、軸部１１１の左端部から径方向外側へ向かってわずかに突出し、左側面視時計回り方向上流側へ第１当接部１１３と略直角をなすように屈曲して直線状に延び、その先端部（遊端部）において、さらに左側面視時計回り方向上流側へ湾曲されている。また、第１係合部１１５には、接触端部の一例としての摺擦部１１７が設けられている。
【０１５９】
摺擦部１１７は、第１係合部１１５の先端部において、径方向外側へ膨出する側面視略円弧形状に形成されている。
【０１６０】
第２係合部１１６は、軸部１１１の右端部から径方向外側へ向かって、屈曲しながら突出する略杆形状に形成されている。詳しくは、第２係合部１１６は、第１当接部１１３と第２当接部１１４との間において歯部１１２の反対側に設けられ、軸部１１１の右端部から径方向外側へ向かってわずかに突出し、左側面視時計回り方向上流側へ屈曲して第２当接部１１４と略平行するように直線状に延び、その先端部（遊端部）において、さらに左側面視時計回り方向上流側へ湾曲されている。
（２−３）ギア列の組み付け状態
図４および図５に示すように、現像カップリング９１は、軸受部材８１のカップリング支持部８７に回転可能に支持されている。
【０１６１】
現像ギア９２は、軸受部材８１の左側に配置され、そのギア部１０１の嵌合穴（図示せず）内に現像ローラ軸Ｓ４のギア嵌合部Ｓ４１が嵌合され、そのカラー挿入部１０２内に現像ローラ軸Ｓ４のカラー嵌合部Ｓ４２が嵌合されることにより、現像ローラ軸Ｓ４の左端部に相対回転不能に外嵌（現像ローラ軸Ｓ４の径方向外側から嵌合）されている。現像ギア９２のギア部１０１は、現像カップリング９１の大径ギア部９７に対して後下側から噛合している。
【０１６２】
供給ギア９３は、軸受部材８１の左側に配置され、その供給ローラ軸嵌合穴１０３内に供給ローラ軸Ｓ３の左端部が嵌合されることにより、供給ローラ軸Ｓ３の左端部に相対回転不能に支持されている。供給ギア９３は、現像ギア９２の前下側に間隔を隔てて配置され、現像カップリング９１の小径ギア部９８に対して後下側から噛合している。
【０１６３】
アイドルギア９４は、その小径部１０５において、現像フレーム２５のアイドルギア支持部７７に回転可能に支持されている。アイドルギア９４の大径部１０４は、現像カップリング９１の小径ギア部９８に対して前側から噛合している。なお、アイドルギア９４の小径部１０５は、現像カップリング９１の大径ギア部９７の前側に間隔を隔てて配置されている（図１１参照）。
【０１６４】
アジテータギア９５は、現像フレーム２５の左側の側壁５２の左側、かつ、現像カップリング９１の右側において、シール収容部７５の前側、かつ、アイドルギア９４の小径部１０５の後側に配置されている。アジテータギア９５は、そのアジテータ軸嵌合穴１０７内にアジテータ軸Ｓ２の左端部が嵌合され、その突起１０８がアジテータ軸Ｓ２の凹部Ｓ２１内に嵌合されることにより、アジテータ軸Ｓ２の左端部に相対回転不能に支持されている。アジテータギア９５は、アイドルギア９４の小径部１０５の右端部に後下側から噛合している（図６参照）。
【０１６５】
被検知ギア９６は、現像フレーム２５の被検知ギア支持部７８に回転可能に支持されている。つまり、被検知ギア９６は、被検知ギア支持部７８の中心軸線Ａ（第１の軸線）を回転中心として、回転可能である。被検知ギア９６は、その第２当接部１１４のギア歯において、アイドルギア９４の小径部１０５の左端部に前下側から噛合している（図１４参照）。
（２−４）カラー部材
カラー部材８２は、カラー部１２８と、複数（２つ）の固定部１２９とを備えている。
【０１６６】
カラー部１２８は、左右方向に延び、左端部が閉鎖された略円筒形状に形成されている。カラー部１２８の内径は、現像ギア９２のカラー挿入部１０２の外径と略同径（わずかに大径）に形成されている。
【０１６７】
複数の固定部１２９は、カラー部１２８の上側と下側とに１つずつ設けられている。
【０１６８】
上側の固定部１２９は、カラー部１２８の右端部から連続して上側へ延びる略平板形状に形成されている。上側の固定部１２９には、ねじ挿通穴１３０が形成されている。
【０１６９】
ねじ挿通穴１３０は、上側の固定部１２９の上端部において、側面視略円形状に形成されている。
【０１７０】
下側の固定部１２９は、カラー部１２８の右端部から連続して下側へ延びる略平板形状に形成されている。下側の固定部１２９には、縮径部挿通穴１３１が形成されている。
【０１７１】
縮径部挿通穴１３１は、下側の固定部１２９の下端部において、前後方向に長手の側面視略長穴形状に形成されている。縮径部挿通穴１３１の上下方向長さは、下側の螺合部６９の縮径部６７の外径と略同径（わずかに大径）である。
【０１７２】
そして、縮径部挿通穴１３１が下側の螺合部６９の縮径部６７に外嵌（縮径部６７の径方向外側から嵌合）されるとともに、カラー部１２８が現像ギア９２のカラー挿入部１０２に相対回転可能に外嵌（カラー挿入部１０２の径方向外側から嵌合）されている。
【０１７３】
なお、この状態において、上側の固定部１２９のねじ挿通穴１３０は、左右方向において、上側の螺合部６９のねじ穴６６と重なる。
（２−５）ギアカバー
ギアカバー８４は、図４および図７に示すように、右端部が開放され、左端部が閉鎖された略ボックス形状に形成されている。ギアカバー８４には、カラー露出開口１２１と、カップリングカラー１２２と、被検知ギア露出開口１２３とが形成されている。また、ギアカバー８４は、アジテータギア規制部１２５と、アイドルギア支持部１３３と、第１被係合部の一例としての対向リブ１３４（図１６参照）とを備えている。
【０１７４】
カラー露出開口１２１は、ギアカバー８４の後端部において、その後端縁から前下側へ向かって切り欠かれるように、後上側へ向かって開放される側面視略Ｃ字状に形成されている。カラー露出開口１２１の内径は、カラー部材８２の外径よりも大径である。
【０１７５】
カップリングカラー１２２は、カラー露出開口１２１の前上側において、ギアカバー８４の左壁から左側へ延びる略円筒形状に形成されている。カップリングカラー１２２は、その右端部において、ギアカバー８４の内側（右側）に連通されている。
【０１７６】
被検知ギア露出開口１２３は、ギアカバー８４の周壁の前下側端部において、その左右方向内側端縁（右端縁）から左右方向外側（左側）へ向かって切り欠かれるように、正面視略矩形状に形成されている。
【０１７７】
アジテータギア規制部１２５は、被検知ギア露出開口１２３の後側に配置され、ギアカバー８４の左壁の内面（右面）から右側へ突出する略角柱形状に形成されている。アジテータギア規制部１２５には、規制突部１２７が設けられている。
【０１７８】
規制突部１２７は、アジテータギア規制部１２５の上端部において、アジテータギア規制部１２５の右面から右側へ突出し、前後方向に延びる突条である。
【０１７９】
アイドルギア支持部１３３は、アジテータギア規制部１２５の前上側に配置され、ギアカバー８４の左壁の内面（右面）から右側へ突出する略円柱形状に形成されている。
【０１８０】
対向リブ１３４は、図１６に示すように、アジテータギア規制部１２５の前側に配置され、ギアカバー８４の左壁の内面（右面）から右側へ突出し、上下方向に延びる突条である。なお、対向リブ１３４の前面が対向面である。また、対向リブ１３４は、上下方向途中において屈曲されており、屈曲部分Ｅよりも下側の第１摺擦部１３６と、屈曲部分Ｅよりも上側の第２摺擦部１３７とを一体的に備えている。
【０１８１】
第１摺擦部１３６は、上側へ向かうに従って、後側へ傾斜するように延びている。なお、第１摺擦部１３６の前面が第１被当接面である。また、第１摺擦部１３６の上端部（すなわち、屈曲部分Ｅ）と被検知ギア９６の軸部１１１との距離は、第１摺擦部１３６の下端部と被検知ギア９６の軸部１１１との距離よりも短い。すなわち、第１摺擦部１３６は、上側へ向かうに従って、被検知ギア９６の軸部１１１に近づくように延びている。
【０１８２】
第２摺擦部１３７は、第１摺擦部１３６の上端部から連続して、上側へ向かうに従って、第１摺擦部１３６よりも後側へ傾斜するように延びている。なお、第２摺擦部１３７の前面が第２被当接面である。また、第２摺擦部１３７の上端部と被検知ギア９６の軸部１１１との距離は、第２摺擦部１３７の下端部（すなわち、屈曲部分Ｅ）と被検知ギア９６の軸部１１１との距離よりも短い。すなわち、第２摺擦部１３７は、上側へ向かうに従って、被検知ギア９６の軸部１１１から離れるように延びている。
【０１８３】
また、図７に示すように、ギアカバー８４は、複数（２つ）の係止爪１２４を備えている。また、ギアカバー８４には、複数（２つ）のねじ挿通穴１２６が形成されている。
【０１８４】
複数の係止爪１２４は、ギアカバー８４の前上側端部と下端部とに１つずつ設けられている。
【０１８５】
詳しくは、上側の係止爪１２４は、ギアカバー８４の前上側周壁の内側（後下側）に設けられ、ギアカバー８４の左壁の内面（右面）から右側へ突出し、その右端部において下側へ屈曲される略鉤形状に形成されている。
【０１８６】
また、下側の係止爪１２４は、アジテータギア規制部１２５の下側において、ギアカバー８４の下側周壁の左右方向内側端縁（右端縁）から左右方向内側（右側）へ突出し、その右端部において上側へ屈曲される略鉤形状に形成されている。
【０１８７】
複数のねじ挿通穴１２６は、ギアカバー８４の後上側端部と後下側端部とに１つずつ配置されており、側面視略円形状に貫通形成されている。
【０１８８】
そして、図８および図９に示すように、ギアカバー８４は、カラー露出開口１２１内にカラー部材８２のカラー部１２８が挿通され、カップリングカラー１２２内に現像カップリング９１の左端部が挿通されるように、ギア列８３に被せられている。
【０１８９】
この状態において、図１０に示すように、規制突部１２７は、アジテータギア９５の下端部の左側に対向配置されている。また、アイドルギア支持部１３３は、アイドルギア９４の大径部１０４の嵌合穴１０６に挿入されている。
【０１９０】
また、被検知ギア９６の左側面視時計回り方向上流側の周端部は、被検知ギア露出開口１２３を介して露出されている（図１２参照）。
【０１９１】
そして、ギアカバー８４は、上側の係止爪１２４が現像フレーム２５の上側の被係止部６８に係止されるとともに、下側の係止爪１２４が現像フレーム２５の下側の被係止部６８に係止されることにより、その前端部において現像フレーム２５の左側の側壁７１に係止されている。
【０１９２】
また、ギアカバー８４は、１つのねじ１３２が、ギアカバー８４の上側のねじ挿通穴１２６と、カラー部材８２のねじ挿通穴１３０とを介して、現像フレーム２５の上側の螺合部６９に螺合されるとともに、もう１つのねじ１３２が、ギアカバー８４の下側のねじ挿通穴１２６を介して、現像フレーム２５の下側の螺合部６９に螺合されることにより、その後端部において現像フレーム２５の左側の側壁７１にねじ止めされている。
（３）現像カートリッジの駆動検査
現像カートリッジ１９を製造するときには、上記したようにギア列８３を組み付けるときに、現像カートリッジ１９の駆動検査を実施する。
【０１９３】
現像カートリッジ１９の駆動検査を実施するには、図１１に示すように、被検知ギア９６とアイドルギア９４との噛合を解除した状態で、現像カップリング９１に駆動力を入力する。
【０１９４】
詳しくは、まず、被検知ギア９６を、歯部１１２が軸部１１１に対して下側に配置されるように、第２係合部１１６を駆動検査用被係合部７９の左端部に下側から当接させる。
【０１９５】
これにより、被検知ギア９６は、第４位置の一例としての駆動検査位置に配置され、その第２当接部１１４がアイドルギア９４に対して下側へ離間された状態で、その左側面視時計回り方向への回転が規制される。
【０１９６】
そして、現像カップリング９１に駆動力を入力すると、被検知ギア９６が回転しない状態で、ギア列８３を介して、供給ローラ３３、現像ローラ３４およびアジテータ２９に駆動力が伝達される。
【０１９７】
詳しくは、現像カップリング９１に入力された駆動力は、現像カップリング９１の大径ギア部９７に噛合する現像ギア９２のギア部１０１を介して、現像ローラ軸Ｓ４に入力される。これにより、現像ローラ３４が回転される。
【０１９８】
また、現像カップリング９１に入力された駆動力は、現像カップリング９１の小径ギア部９８に噛合する供給ギア９３、および、アイドルギア９４の大径部１０４を介して、供給ローラ軸Ｓ３およびアイドルギア９４に入力される。これにより、供給ローラ３３およびアイドルギア９４が回転される。
【０１９９】
そして、アイドルギア９４に入力された駆動力は、アイドルギア９４の小径部１０５に噛合するアジテータギア９５を介して、アジテータ軸Ｓ２に入力される。これにより、アジテータ２９が回転される。
【０２００】
このとき、駆動検査中の現像カートリッジ１９において、供給ローラ３３、現像ローラ３４またはアジテータ２９が正常に駆動されないなどの不具合が発見された場合には、その現像カートリッジ１９を、出荷することなく、修理または廃棄する。
【０２０１】
そして、不具合が発見されることなく、現像カートリッジ１９の駆動検査が終了した場合には、図１３に示すように、被検知ギア９６を、第２係合部１１６が駆動検査用被係合部７９の前側に配置されるように回転させて、その第２当接部１１４を、アイドルギア９４の小径部１０５に前下側から噛合させる。
【０２０２】
被検知ギア９６の第２当接部１１４をアイドルギア９４の小径部１０５に前下側から噛合させるには、被検知ギア９６を、駆動検査位置（図１１参照）から左側面視時計回りに回転させる。
【０２０３】
すると、被検知ギア９６の第２係合部１１６は、駆動検査用被係合部７９に下側から当接された状態で、その先端部が軸部１１１に近接するように弾性的に湾曲（弾性変形）される。
【０２０４】
そして、被検知ギア９６がさらに回転されると、第２係合部１１６は、駆動検査用被係合部７９の下側を後側から前側へ通過し、その弾性力により復元して、駆動検査用被係合部７９の前側に配置される。
【０２０５】
このとき、被検知ギア９６は、第２当接部１１４において現像カップリング９１に対して駆動伝達可能に噛合され、第１位置に配置される。
【０２０６】
その後、上記したように、カラー部材８２およびギアカバー８４を組み付けると、現像カートリッジ１９の製造が完了する。
４．本体ケーシング
本体ケーシング２内には、図１５に示すように、第１検知手段の一例としてのアクチュエータ１４１が設けられている。
【０２０７】
アクチュエータ１４１は、本体ケーシング２内の左端部において、ピックアップローラ１１の前上側に配置されている（図１参照）。アクチュエータ１４１は、回動軸１４２と、検知部１４３と、作用部１４４とを備えている。
【０２０８】
回動軸１４２は、左右方向に延びる略円柱形状に形成されている。
【０２０９】
検知部１４３は、回動軸１４２の後上側端部から後上側へ延びる略杆形状に形成されている。
【０２１０】
作用部１４４は、回動軸１４２の下端部から下側へ延びる略扇形の平板形状に形成されている。
【０２１１】
アクチュエータ１４１は、その回動軸１４２において、本体ケーシング２内に回転可能に支持されている。
【０２１２】
これにより、アクチュエータ１４１は、検知部１４３が後上側に向かって起立する非検知位置（図１５参照）と、検知部１４３が後側へ傾倒する検知位置（図１３参照）とに、回動可能である。なお、アクチュエータ１４１は、図示しない付勢部材により、常には、非検知位置に向かって付勢されている。
【０２１３】
そして、アクチュエータ１４１が非検知位置に配置されているときには、作用部１４４は、本体ケーシング２内のセンサ１４０（例えば、光センサなど）に検知されない。
【０２１４】
また、アクチュエータ１４１が検知位置に配置されているときには、作用部１４４は、本体ケーシング２内のセンサ１４０によって検知される。
【０２１５】
また、本体ケーシング２内には、図３に仮想線で示すように、電源１４５と、第２検知手段の一例としての導通検知部１４６と、ＣＰＵ１４７とが設けられている。
【０２１６】
電源１４５は、ワイヤ電極６２に電気的に接続されている。電源１４５は、ワイヤ電極６２に電力を供給する。
【０２１７】
導通検知部１４６は、電源１４５とワイヤ電極６２との間に介在され、電源１４５とワイヤ電極６２とに電気的に接続されている。導通検知部１４６は、電源１４５からワイヤ電極６２へ流れる電流を検知する。
【０２１８】
ＣＰＵ１４７は、上記したセンサ１４０と導通検知部１４６とに電気的に接続されている。
【０２１９】
ＣＰＵ１４７は、後で詳しく説明するが、導通検知部１４６における、電源１４５からワイヤ電極６２へ流れる電流の検知に基づいて、ドラムカートリッジ１８の本体ケーシング２に対する装着または離脱を判断する。また、ＣＰＵ１４７は、センサ１４０における、アクチュエータ１４１の回動の検知に基づいて、現像カートリッジ１９の本体ケーシング２に対する装着または離脱、および、現像カートリッジ１９の使用または未使用を判断する。
５．本体ケーシングに対する現像カートリッジの装着
（１）ドラムカートリッジに対する現像カートリッジの装着状態
図１２に示すように、現像カートリッジ１９がドラムカートリッジ１８のカートリッジ装着部６０に装着された状態において、被検知ギア９６は、ギアカバー８４の被検知ギア露出開口１２３、および、ドラムフレーム５１の被検知ギア露出開口６１を介して、ドラムフレーム５１の前端部から前下側へ露出されている。
（２）本体ケーシングに対するプロセスカートリッジの装着
プロセスカートリッジ１５を本体ケーシング２へ装着するには、まず、図１に示し、上記したように、本体ケーシング２のトップカバー７を開放位置に配置させる。
【０２２０】
次いで、ドラムカートリッジ１８の前端部を把持して、感光ドラム２０のドラム軸Ｓ１の左右方向端部を本体ケーシング２のガイド部３７に嵌合させるように、プロセスカートリッジ１５を本体ケーシング２内に挿入する。
【０２２１】
そして、プロセスカートリッジ１５を、ガイド部３７に沿って後下側へ押し込み、その後、感光ドラム２０のドラム軸Ｓ１を支点として左側面視時計回りに回動させる。
【０２２２】
すると、プロセスカートリッジ１５の本体ケーシング２への装着が完了する直前において、プロセスカートリッジ１５の回動に伴って、本体ケーシング２内の本体側グリッド電極（図示せず）が、グリッド電極６３に対して後側から当接されるとともに、本体ケーシング２内の本体側ワイヤ電極（図示せず）が、ワイヤ電極６２に対して下側から当接される。これにより、本体側グリッド電極（図示せず）とグリッド電極６３とが電気的に接続される。また、本体側ワイヤ電極（図示せず）とワイヤ電極６２とが電気的に接続される。
【０２２３】
そして、感光ドラム２０のドラム軸Ｓ１が、ガイド部３７の後端部内に配置され、ドラムカートリッジ１８の前端部が、レーザービームＬと干渉しないようにレーザービームＬの出射軌跡よりも下側に配置されると、プロセスカートリッジ１５の本体ケーシング２への装着が完了する。
【０２２４】
このとき、図１３に示すように、現像カートリッジ１９の被検知ギア９６は、ギア列８３において最も下側に配置される。被検知ギア９６の左側面視時計回り方向上流側の周端部は、アクチュエータ１４１の検知部１４３に対して上側から当接される。
【０２２５】
これにより、アクチュエータ１４１は、付勢部材（図示せず）の付勢力に抗して左側面視反時計回りに回動されて、検知位置に配置される。
【０２２６】
その後、本体ケーシング２のトップカバー７を閉鎖位置に配置させる。
【０２２７】
また、プロセスカートリッジ１５を本体ケーシング２から離脱させるには、上記した装着動作と逆に、プロセスカートリッジ１５および本体ケーシング２を操作する。
【０２２８】
具体的には、トップカバー７を開放位置に配置させた後、プロセスカートリッジ１５を前上側へ引き抜く。
【０２２９】
すると、現像カートリッジ１９の被検知ギア９６がアクチュエータ１４１の検知部１４３から上側へ離間され、アクチュエータ１４１は、付勢部材（図示せず）の付勢力によって左側面視時計回りに回動されて、非検知位置（図１５参照）に配置される。
６．新品検知動作
本体ケーシング２のトップカバー７を閉鎖位置に配置させると、トップカバー７の閉動作に連動して、本体ケーシング２内の本体カップリング（図示せず）が現像カートリッジ１９の現像カップリング９１に相対回転不能に嵌合される。
【０２３０】
その後、図３に仮想線で示すように、ワイヤ電極６２に、本体側ワイヤ電極（図示せず）を介して、本体ケーシング２内の電源１４５から電力が供給され、導通検知部１４６において、帯電ワイヤ２３に対する通電確認が実施される。
【０２３１】
そして、導通検知部１４６において、電源１４５からワイヤ電極６２へ流れる電流が検知されると、ＣＰＵ１４７は、ドラムカートリッジ１８が本体ケーシング２に装着されていると判断する。
【０２３２】
なお、トップカバー７を閉鎖位置に配置された後、所定時間が経過する間に、導通検知部１４６において、電源１４５からワイヤ電極６２へ流れる電流が検知されなかった場合には、ＣＰＵ１４７は、ドラムカートリッジ１８が本体ケーシング２に装着されていないと判断する。
【０２３３】
また、トップカバー７を閉鎖位置に配置された後、所定時間が経過する間に、アクチュエータ１４１が検知位置に配置されていることが検知されなかった場合には、ＣＰＵ１４７は、現像カートリッジ１９が本体ケーシング２に装着されていないと判断する。
【０２３４】
そして、所定時間が経過する前に、センサ１４０により、アクチュエータ１４１が検知位置に配置されていることが検知されると、本体ケーシング２内の駆動源（図示せず）から、本体カップリング（図示せず）を介して現像カップリング９１に左側面視時計回りの駆動力が伝達され、ウォーミングアップ動作が開始される。
【０２３５】
すると、ギア列８３を介して被検知ギア９６に駆動力が伝達され、被検知ギア９６が左側面視時計回りに回転される。
【０２３６】
これにより、図１５に示すように、被検知ギア９６の第１当接部１１３が、アクチュエータ１４１の検知部１４３から後側へ離間される。
【０２３７】
すると、アクチュエータ１４１は、付勢部材（図示せず）の付勢力によって左側面視時計回りに回動されて、非検知位置に配置される。
【０２３８】
そして、図１６に示すように、被検知ギア９６がさらに右側面視反時計回り（すなわち、左側面視時計回り）に回転されると、被検知ギア９６の第１係合部１１５の摺擦部１１７が、対向リブ１３４の第１摺擦部１３６の下端部に前側から当接される。
【０２３９】
そして、被検知ギア９６がさらに回転されると、第１係合部１１５は、その摺擦部１１７において第１摺擦部１３６の前面を上側へ摺動し、摺動するに従って、摺擦部１１７が軸部１１１に近接するように弾性的に湾曲（弾性変形）される。
【０２４０】
また、図１７に示すように、第２当接部１１４が、アクチュエータ１４１の検知部１４３に対して前上側から当接される。
【０２４１】
そして、被検知ギア９６がさらに回転されると、被検知ギア９６は、その第２当接部１１４において、アクチュエータ１４１の検知部１４３を後下側へ押圧する。
【０２４２】
すると、アクチュエータ１４１は、付勢部材（図示せず）の付勢力に抗して、左側面視反時計回りに回動されて、非検知位置から検知位置へ移動される。
【０２４３】
このとき、図１８に示すように、被検知ギア９６は、第２位置に配置され、第１係合部１１５の摺擦部１１７は、第１摺擦部１３６の上端部において、対向リブ１３４の屈曲部分Ｅに対向される。
【０２４４】
また、被検知ギア９６は、歯部１１２の回転方向最上流側端部において、アイドルギア９４の小径部１０５に噛合している。
【０２４５】
そして、被検知ギア９６がさらに回転されると、第１係合部１１５の摺擦部１１７は、屈曲部分Ｅを乗り越えるように、第２摺擦部１３７の下端部の前面に対向される。
【０２４６】
このとき、第１係合部１１５は、その弾性力によって復元し、第２摺擦部１３７の前面を前側から押圧する。
【０２４７】
これにより、第１係合部１１５が第２摺擦部１３７を押圧するときの反力によって、被検知ギア９６がさらに回転される。
【０２４８】
すると、図１９および図２０に示すように、歯部１１２の回転方向最上流側端部が、アイドルギア９４の小径部１０５から前側へ離間する（図２０参照）。
【０２４９】
このとき、第２係合部１１６が現像フレーム２５の被係合ボス８０に下側から当接される（図１９参照）ことにより、それ以上の左側面視時計回り方向への回転が規制され、第１係合部１１５の摺擦部１１７が対向リブ１３４の上端部に上側から当接される（図２０参照）ことにより、左側面視反時計回り方向（第２方向）への回転が規制される。
【０２５０】
これにより、被検知ギア９６は、第３位置に配置され、アイドルギア９４の小径部１０５との噛合が解除された状態になる。
【０２５１】
なお、このとき、被検知ギア９６の第２当接部１１４は、アクチュエータ１４１の検知部１４３に対して上側から当接されたままである。
【０２５２】
そして、本体ケーシング２内のＣＰＵ１４７は、センサ１４０が、アクチュエータ１４１が検知位置、非検知位置、検知位置の順に移動されたことを検知したときに、現像カートリッジ１９が未使用である（現像カートリッジ１９に関する情報）と判断する。
【０２５３】
また、使用途中の現像カートリッジ１９が本体ケーシング２に装着されたときには、被検知ギア９６が第３位置に配置されているので、被検知ギア９６が回転されず、被検知ギア９６の第２当接部１１４が、アクチュエータ１４１の検知部１４３に対して上側から当接され続ける。
【０２５４】
これにより、アクチュエータ１４１は、検知位置に配置され続ける。
【０２５５】
すると、本体ケーシング２内のＣＰＵ１４７は、センサ１４０が、アクチュエータ１４１が所定時間にわたって検知位置に配置され続けたことを検知したときに、現像カートリッジ１９が使用途中である（現像カートリッジ１９に関する情報）と判断する。
７．作用効果
（１）この現像カートリッジ１９によれば、図４に示すように、被検知ギア９６の第２当接部１１４は、左右方向において歯部１１２と同じ位置に配置され、歯部１１２とともに受動部１１０を構成している。
【０２５６】
そのため、第２当接部１１４と歯部１１２とを、左右方向において効率よく配置することができる。
【０２５７】
その結果、左右方向において、現像カートリッジ１９の小型化を図ることができる。
（２）また、この現像カートリッジ１９によれば、図１３および図１７に示すように、被検知ギア９６が第１位置から第２位置へ回転するときに、第２当接部１１４は、アイドルギア９４の小径部１０５からの駆動力を受けた後に、アクチュエータ１４１に当接される。
【０２５８】
そのため、アイドルギア９４からの駆動力を受ける前に、アクチュエータ１４１との当接によって第２当接部１１４が損傷することを防止できる。
【０２５９】
その結果、第２当接部１１４において、アイドルギア９４からの駆動力を確実に受けることができながら、駆動力を受けた後の第２当接部１１４を利用して現像カートリッジ１９の使用または未使用を判別することができる。
（３）また、この現像カートリッジ１９によれば、図４に示すように、第１当接部１１３は、左右方向において歯部１１２と同じ位置に配置されている。
【０２６０】
そのため、第１当接部１１３と受動部１１０（歯部１１２および第２当接部１１４）とを、左右方向において効率よく配置することができる。
【０２６１】
その結果、被検知ギア９６が第２当接部１１４とは別の第１当接部１１３を備える場合にも、左右方向において、現像カートリッジ１９の小型化を図ることができる。
（４）また、この現像カートリッジ１９によれば、図２０に示すように、第１係合部１１５の対向リブ１３４に対する係合により、被検知ギア９６を、被検知ギア９６と受動部１１０とが離間した第３位置で保持することができる。
【０２６２】
そのため、被検知ギア９６を、第３位置に配置されるまで、所定の駆動量で駆動させることができる。
【０２６３】
また、被検知ギア９６が第３位置に配置された後には、アイドルギア９４の小径部１０５と、被検知ギア９６との駆動伝達を確実に解除することができる。
（５）また、この現像カートリッジ１９によれば、図１８に示すように、第１係合部１１５は、アイドルギア９４の小径部１０５から受動部１１０へ駆動力が伝達されているときに弾性変形され、図２０に示すように、アイドルギア９４の小径部１０５から受動部１１０への駆動伝達が解除されるときに復元する。
【０２６４】
そのため、アイドルギア９４からの駆動力を利用して第１係合部１１５を弾性変形させ、その後、弾性変形された第１係合部１１５の復元を利用してアイドルギア９４から歯部１１２への駆動伝達を解除することができる。
【０２６５】
その結果、第１係合部１１５を弾性変形可能に形成するという簡易な構成で、アイドルギア９４と被検知ギア９６との駆動伝達を確実に解除することができる。
（６）また、この現像カートリッジ１９によれば、図１８に示すように、アイドルギア９４からの駆動力を利用して、第１摺擦部１３６の前面の傾斜に沿って第１係合部１１５を弾性変形させることができる。
【０２６６】
また、図２０に示すように、第２摺擦部１３７の前面の傾斜に応じて、弾性変形された第１係合部１１５を復元させることにより、第１係合部１１５で第２摺擦部１３７の前面を押圧してアイドルギア９４から受動部１１０への駆動伝達を解除することができる。
【０２６７】
そのため、簡易な構成で、アイドルギア９４と被検知ギア９６との駆動伝達を、より確実に解除することができる。
（７）また、この現像カートリッジ１９によれば、図１１に示すように、第２係合部１１６の駆動検査用被係合部７９に対する当接により、第２当接部１１４をアイドルギア９４の小径部１０５に噛合させる前に、被検知ギア９６を駆動検査位置に保持することができる。
【０２６８】
そのため、第２当接部１１４をアイドルギア９４の小径部１０５に噛合させる前に、アイドルギア９４に本体ケーシング２内の駆動源（図示せず）からの駆動力を伝達し、現像カートリッジ１９の駆動検査を実施することができる。
【０２６９】
その結果、第２当接部１１４をアイドルギア９４の小径部１０５に噛合させた後において、現像カートリッジ１９を確実に駆動させることができる。
（８）また、このプリンタ１によれば、ドラムカートリッジ１８が装着されているか否かを検知した後に、現像カートリッジ１９に駆動力を入力する。
【０２７０】
そのため、現像カートリッジ１９をドラムカートリッジ１８に装着しないで、誤って現像カートリッジ１９のみを本体ケーシング２に装着した場合に、現像カートリッジ１９に駆動力が入力される前に、ドラムカートリッジ１８が装着されていないことを検知することができる。
【０２７１】
その結果、本体ケーシング２に誤装着された現像カートリッジ１９に駆動力が入力されることを防止でき、現像カートリッジ１９の誤装着に起因する現像カートリッジ１９および本体ケーシング２の損傷を防止することができる。
８．第２実施形態
図２１〜図２４を参照しながら、第２実施形態の現像カートリッジ１９を説明する。なお、図２１〜図２４において、上記した第１実施形態と同様の部材には同様の符号を付し、その説明を省略する。
（１）現像カートリッジの構成
上記した第１実施形態では、被検知ギア９６に、第１係合部１１５と第２係合部１１６とを設けている。そして、現像カートリッジ１９の駆動検査において、第２係合部１１６を駆動検査用被係合部７９に係合させることにより、被検知ギア９６を駆動検査位置に規制している。また、現像カートリッジ１９の新品検知動作が終了するときに、第１係合部１１５をギアカバー８４の対向リブ１３４に係合させることにより、被検知ギア９６の第３位置からの逆回転（左側面視反時計周り方向への回転）を規制している。
【０２７２】
対して、第２実施形態では、図２１および図２３に示すように、被検知ギア１５０に、第１係合部の一例としての係合部１５１を設ける。また、現像フレーム２５の左側の側壁７１に、第１被係合部の一例としての対向リブ１６１（図２３参照）とを設ける。
【０２７３】
詳しくは、被検知ギア１５０は、左右方向に厚みを有する側面視略扇形の平板形状に形成されている。詳しくは、被検知ギア１５０は、軸部１５２と、受動部の一例としての歯部１５３と、係合部１５１とを備えている。
【０２７４】
軸部１５２は、被検知ギア１５０の径方向中央に配置され、左右方向に延びる略円筒形状に形成されている。軸部１５２の内径は、被検知ギア支持部７８の外径よりも大径（略同径）である。
【０２７５】
歯部１５３は、被検知ギア１５０の外形形状を形成し、左右方向に厚みを有し、約２００°の中心角を有する側面視略扇形状の平板形状に形成されている。歯部１５３の左右方向長さは、軸部１５２の左右方向長さよりも短い。歯部１５３の周面には、左右方向に延びるギア歯が形成されている。なお、歯部１５３の左側面視時計回り方向下流側端部が第１被検知部の一例であり、歯部１５３の左側面視時計回り方向上流側端部が第２被検知部の一例である。
【０２７６】
係合部１５１は、軸部１５２の右端部から径方向外側へ向かって、屈曲しながら突出する略杆形状に形成されている。詳しくは、係合部１５１は、歯部１５３の反対側に設けられ、軸部１５２の右端部から径方向外側へ向かってわずかに突出し、左側面視時計回り方向上流側へ屈曲して直線状に延び、その先端部（遊端部）において、さらに左側面視時計回り方向上流側へ湾曲されている。また、係合部１５１には、接触端部の一例としての摺擦部１５４が設けられている。
【０２７７】
摺擦部１５４は、係合部１５１の先端部において、径方向外側へ膨出する側面視略円弧形状に形成されている。
【０２７８】
また、現像フレーム２５は、その左側の側壁７１において、対向リブ１６１（図２３参照）と、第２被係合部の一例としての駆動検査用被係合部１７１（図２１参照）とを備えている。
【０２７９】
対向リブ１６１は、図２３に示すように、被検知ギア１５０の下側において、側壁７１の左面から左側へ突出し、前後方向に延びる突条として形成されている。なお、対向リブ１３４の上面が対向面である。
【０２８０】
また、対向リブ１６１の前後方向中央と被検知ギア１５０の軸部１５２との距離は、対向リブ１６１の前端部と被検知ギア１５０の軸部１５２との距離よりも短い。すなわち、対向リブ１６１の前側半分は、後側へ向かうに従って、被検知ギア１５０の軸部１５２に近接するように延びている。対向リブ１６１の前側半分の上面が第１被当接面である。
【０２８１】
また、対向リブ１６１の前後方向中央と被検知ギア１５０の軸部１５２との距離は、対向リブ１６１の後端部と被検知ギア１５０の軸部１５２との距離よりも短い。すなわち、対向リブ１６１の前側半分は、後側へ向かうに従って、被検知ギア１５０の軸部１５２から離間するように延びている。対向リブ１６１の後側半分の上面が第２被当接面である。
【０２８２】
また、対向リブ１６１の後端部には、被係合部１６２が設けられている。
【０２８３】
被係合部１６２は、対向リブ１６１の後端部から上側へ向かって突出する側面視略矩形の平板形状に形成されている。
【０２８４】
駆動検査用被係合部１７１は、図２１に示すように、アイドルギア支持部７７の前側、かつ、被検知ギア支持部７８の上側に配置され、側壁７１の左面から左側へ突出する略角柱形状に形成されている。
（２）現像カートリッジの駆動検査
第２実施形態において、現像カートリッジ１９の駆動検査を実施するには、図２１に示すように、被検知ギア１５０を、歯部１５３が軸部１５２に対して下側に配置された状態で、係合部１５１を駆動検査用被係合部１７１に下側から当接させて、歯部１５３をアイドルギア９４に対して下側へ離間させる。
【０２８５】
その後、現像カップリング９１に駆動力を入力し、被検知ギア９６が回転しない状態で、供給ローラ３３、現像ローラ３４およびアジテータ２９を駆動させる。
【０２８６】
このとき、駆動検査中の現像カートリッジ１９において、供給ローラ３３、現像ローラ３４またはアジテータ２９が正常に駆動されないなどの不具合が発見された場合には、その現像カートリッジ１９を、出荷することなく、修理または廃棄する。
【０２８７】
そして、不具合が発見されることなく、現像カートリッジ１９の駆動検査が終了した場合には、上記した第１実施形態と同様に、図２２に示すように、被検知ギア１５０を、係合部１５１が駆動検査用被係合部１７１の前側に配置されるように回転させて、歯部１５３の左側面視時計回り方向下流側端部を、アイドルギア９４の小径部１０５に前下側から噛合させる。
（３）新品検知動作
プロセスカートリッジ１５を本体ケーシング２に装着し、本体ケーシング２のトップカバー７を閉鎖位置に配置させると、トップカバー７の閉動作に連動して、本体ケーシング２内の本体カップリング（図示せず）が現像カートリッジ１９の現像カップリング９１に相対回転不能に嵌合される。
【０２８８】
そして、図２２に示すように、所定時間が経過する前に、センサ１４０により、アクチュエータ１４１が検知位置に配置されていることが検知されると、本体ケーシング２内の駆動源（図示せず）から、本体カップリング（図示せず）を介して現像カップリング９１に左側面視時計回りの駆動力が伝達され、ウォーミングアップ動作が開始される。
【０２８９】
すると、ギア列８３を介して被検知ギア１５０に駆動力が伝達され、被検知ギア１５０が左側面視時計回りに回転される。
【０２９０】
これにより、図２３に示すように、歯部１５３の左側面視時計回り方向上流側端部が、アクチュエータ１４１の検知部１４３から後側へ離間される。
【０２９１】
すると、アクチュエータ１４１は、付勢部材（図示せず）の付勢力によって左側面視時計回りに回動されて、非検知位置に配置される。
【０２９２】
そして、被検知ギア９６がさらに回転されると、係合部１５１は、その摺擦部１５４において対向リブ１６１の上面を後側へ摺動し、摺動するに従って、摺擦部１５４が軸部１５２に近接するように弾性的に湾曲（弾性変形）される。
【０２９３】
そして、図２４に仮想線で示すように、被検知ギア１５０がさらに回転されると、被検知ギア１５０は、歯部１５３の左側面視時計回り方向下流側端部において、アクチュエータ１４１の検知部１４３を後下側へ押圧する。
【０２９４】
すると、アクチュエータ１４１は、付勢部材（図示せず）の付勢力に抗して、左側面視反時計回りに回動されて、非検知位置から検知位置へ移動される。
【０２９５】
このとき、被検知ギア１５０は、第２位置に配置され、係合部１５１の摺擦部１５４は、対向リブ１６１の後端部に対向される。
【０２９６】
また、被検知ギア１５０は、歯部１５３の回転方向最上流側端部において、アイドルギア９４の小径部１０５に噛合している。
【０２９７】
そして、係合部１５１がその弾性力（復元力）によって復元し、対向リブ１６１の後端部の上面を上側から押圧すると、その反力によって、被検知ギア１５０がさらに回転される。
【０２９８】
すると、歯部１５３の回転方向最上流側端部が、アイドルギア９４の小径部１０５から前側へ離間する。
【０２９９】
このとき、図２４に示すように、被検知ギア１５０は、係合部１５１が被係合部１６２に前側から当接されることにより、それ以上の左側面視時計回り方向への回転が規制され、係合部１５１の先端が対向リブ１６１の後端部の上面に上側から当接されることにより、左側面視反時計回り方向（第２方向）への回転が規制される。
【０３００】
これにより、被検知ギア１５０は、第３位置に配置され、アイドルギア９４の小径部１０５との噛合が解除された状態になる。
【０３０１】
なお、このとき、被検知ギア１５０の歯部１５３の左側面視時計回り方向下流側端部は、アクチュエータ１４１の検知部１４３に対して上側から当接されたままである。
【０３０２】
そして、本体ケーシング２内のＣＰＵ１４７は、センサ１４０が、アクチュエータ１４１が検知位置、非検知位置、検知位置の順に移動されたことを検知したときに、現像カートリッジ１９が未使用である（現像カートリッジ１９に関する情報）と判断する。
【０３０３】
また、使用途中の現像カートリッジ１９が本体ケーシング２に装着されたときには、被検知ギア１５０が第３位置に配置されているので、被検知ギア１５０が回転されず、被検知ギア１５０の歯部１５３の左側面視時計回り方向下流側端部が、アクチュエータ１４１の検知部１４３に対して上側から当接され続ける。
【０３０４】
これにより、アクチュエータ１４１は、検知位置に配置され続ける。
【０３０５】
すると、本体ケーシング２内のＣＰＵ１４７は、センサ１４０が、アクチュエータ１４１が所定時間にわたって検知位置に配置され続けたことを検知したときに、現像カートリッジ１９が使用途中である（現像カートリッジ１９に関する情報）と判断する。
（４）作用効果
第２実施形態によれば、図２４に示すように、係合部１５１によって、被検知ギア１５０を第３位置または第４位置に保持する。
【０３０６】
そのため、現像カートリッジ１９の構成の簡略化を図ることができる。
【０３０７】
また、第２実施形態においても、上記した第１実施形態と同様の作用効果を得ることができる。
９．他の変形例
（１）上記した第１実施形態では、被検知ギア９６の歯部１１２および第２当接部１１４にギア歯を形成しているが、被検知ギア９６の歯部１１２および第２当接部１１４に、ギア歯に代えて、少なくとも外周面がゴムなどの摩擦係数が比較的大きい材料からなる抵抗付与部材を設けることもできる。
【０３０８】
この場合、アイドルギア９４の小径部１０５、および、アジテータギア９５にも、ギア歯に代えて、少なくとも外周面がゴムなどの摩擦係数が比較的大きい材料からなる抵抗付与部材を設ける。
【０３０９】
そして、抵抗付与部材同士の摩擦により、アイドルギア９４から被検知ギア９６およびアジテータギア９５に駆動力を伝達する。
【０３１０】
この変形例においても上記した第１実施形態と同様の作用効果を得ることができる。
（２）また、上記した第１実施形態では、アクチュエータ１４１の揺動を、光センサなどの非接触型の検知手段で検知しているが、アクチュエータ１４１の揺動は、例えば、メカスイッチなどの接触型の検知手段で検知することもできる。
（３）また、上記したプリンタ１は、本発明の画像形成装置の一実施形態であり、本発明は、上記した実施形態に限定されない。
【０３１１】
本発明の画像形成装置には、モノクロプリンタおよびカラープリンタが含まれる。
【０３１２】
カラープリンタには、複数の感光体と記録媒体搬送部材とを備えるダイレクト方式のタンデム型カラープリンタや、複数の感光体と、中間転写体と、転写部材とを備える中間転写方式のタンデム型カラープリンタが含まれる。
【０３１３】
また、本発明の画像形成装置に装着されるカートリッジには、上記したプロセスカートリッジ１５、ドラムカートリッジ１８、現像カートリッジ１９が含まれる。
【０３１４】
さらに、プロセスカートリッジ１５には、上記したようなドラムカートリッジ１８と現像カートリッジ１９とが分離する分離型の他、ドラムカートリッジ１８と現像カートリッジ１９とを一体的に備える一体型が含まれる。
【０３１５】
さらに、装置本体の一例としての本体ケーシング２に感光体を設けて、現像カートリッジ１９のみを本体ケーシング２に対して着脱させることもできる。
【０３１６】
さらに、現像カートリッジ１９には、現像剤担持体を有する筐体に対し、トナーが収容されるトナーカートリッジが着脱自在に装着されるものも含まれる。
【０３１７】
また、上記した感光ドラム２０は、感光体または像担持体の一例であるが、感光体または像担持体には、感光ドラム２０の他、感光ベルトが含まれる。
【０３１８】
また、上記した現像ローラ３４は、現像剤担持体の一例であるが、現像剤担持体には、現像ローラ３４の他、現像スリーブ、現像ベルト、ブラシ状のローラなどが含まれる。
【０３１９】
また、上記した供給ローラ３３は、供給部材の一例であるが、供給部材には、供給ローラ３３の他、供給スリーブ、供給ベルト、ブラシ状のローラなどが含まれる。
【０３２０】
また、上記したアジテータ２９は、搬送部材の一例であるが、搬送部材には、アジテータ２９の他、オーガスクリューや搬送ベルトなどが含まれる。
【０３２１】
また、上記した転写ローラ２１は、転写部材の一例であるが、転写部材には、転写ローラ２１や転写ベルト、転写ブラシ、転写ブレード、フィルム型転写装置などの接触型転写部材の他、コロトロンタイプなどの非接触型転写部材も含まれる。
【０３２２】
また、上記したスコロトロン型帯電器２２は、帯電器の一例であるが、帯電器には、スコロトロン型帯電器２２の他、コロトロン型帯電器、鋸歯状の放電部材を備える帯電器などの非接触型帯電器や、帯電ローラなどの接触型帯電器が含まれる。
【０３２３】
また、上記したスキャナユニット１６は、露光部材の一例であるが、露光部材には、スキャナユニット１６の他、ＬＥＤユニットなども含まれる。
【０３２４】
さらに、本発明の画像形成装置は、画像読取部などを装備して、複合機として構成することもできる。
【符号の説明】
【０３２５】
１      プリンタ
２      本体ケーシング
１８    ドラムカートリッジ
１９    現像カートリッジ
２０    感光ドラム
２５    現像フレーム
２６    トナー収容部
７９    駆動検査用被係合部
８４    ギアカバー
９６    被検知ギア
１１０  受動部
１１３  第１当接部
１１４  第２当接部
１１５  第１係合部
１１６  第２係合部
１１７  摺動部
１３４  対向リブ
１４１  アクチュエータ
１４６  導通検知部
１５１  係合部
１５３  歯部
１５４  摺擦部
１６１  対向リブ
１６２  被係合部
１７１  駆動検査用被係合部
【図１】
2014016482.tif 000003
【図２】
2014016482.tif 000004
【図３】
2014016482.tif 000005
【図４】
2014016482.tif 000006
【図５】
2014016482.tif 000007
【図６】
2014016482.tif 000008
【図７】
2014016482.tif 000009
【図８】
2014016482.tif 000010
【図９】
2014016482.tif 000011
【図１０】
2014016482.tif 000012
【図１１】
2014016482.tif 000013
【図１２】
2014016482.tif 000014
【図１３】
2014016482.tif 000015
【図１４】
2014016482.tif 000016
【図１５】
2014016482.tif 000017
【図１６】
2014016482.tif 000018
【図１７】
2014016482.tif 000019
【図１８】
2014016482.tif 000020
【図１９】
2014016482.tif 000021
【図２０】
2014016482.tif 000022
【図２１】
2014016482.tif 000023
【図２２】
2014016482.tif 000024
【図２３】
2014016482.tif 000025
【図２４】
2014016482.tif 000026